(57)【要約】【課題】売上票を挟み込んだり、値札シールを貼る場合に、手間がかからず、両者のマッチングミスも回避できる書籍用売上票を提供する。【解決手段】書籍用売上票１０は、台紙１１と、台紙１１上に配置され、作業指示欄１２ａと、売上票部１２ｂとを有するシート状基材１２と、台紙１１上のシート状基材１２以外の部分に配置され、剥離紙１３ａ，粘着剤１３ｂ及びタック基材１３ｃが下からこの順に積層されたバーコードラベル１３と、台紙１１とシート状基材１２及び剥離紙１３ａとを接着する接着層１４と、売上票部１２ｂを２つ折りするための折り線１５と、折り線１５に連結するように設けられ、その周縁の一部が、ハーフカットｈｃによって半円形状に切り込まれた飛び出し部１６と、飛び出し部１６の下層部分に設けられた剥離層１７などとを備え、台紙１１にシート状基材１２及びバーコードラベル１３を配置した状態で、略全面にわたって略均一な厚みである。【選択図】図１
2006317869.tif 000002
【特許請求の範囲】
【請求項１】
ベースシートと、
前記ベースシート上に配置され、売上票部を有するシート状基材と、
前記ベースシート上であって、前記シート状基材以外の部分に配置され、少なくとも識別情報部を有し、その識別情報部を対象物に貼付可能な積層ラベル部と、
前記ベースシートと前記シート状基材及び前記積層ラベル部とを接着する接着層と、
前記売上票部に形成された折り線と、
前記売上票部を前記折り線で折り曲げたときに、その売上票部の一部を飛び出させる飛び出し手段と、
を備える書籍用売上票。
【請求項２】
請求項１に記載の書籍用売上票において、
前記飛び出し手段は、
前記折り線付近に、所定形状に切り込まれた飛び出し部と、
前記飛び出し部の下層部分に設けられた接着性調整手段とであること、
を特徴とする書籍用売上票。
【請求項３】
請求項１に記載の書籍用売上票において、
前記飛び出し手段は、
前記折り線付近に、所定形状に切り込まれた飛び出し部と、
前記売上票部の下層部分に設けられた接着性調整手段とであること、
を特徴とする書籍用売上票。
【請求項４】
請求項２又は請求項３に記載の書籍用売上票において、
前記接着性調整手段は、前記売上票部と前記接着層との間に剥離層を設けたもの、前記接着層の塗布量を減少させたもの、前記接着層に弱粘接着層を用いたもののうちいずれかであること、
を特徴とする書籍用売上票。
【請求項５】
請求項１から請求項４までのいずれか１項に記載の書籍用売上票において、
前記ベースシートに前記シート状基材及び前記積層ラベル部を配置した状態で、略全面にわたって略均一な厚みであること、
を特徴とする書籍用売上票。
【発明の詳細な説明】
【技術分野】
【０００１】
本発明は、書籍の売上げを集計するために使用される書籍用売上票に関するものである。
【背景技術】
【０００２】
一般に、書籍（本）には、売上げ集計用の『売上票』という札が挟まれている（例えば、特許文献１）。
書店では、この『売上票』により、毎日の売上を確認しつつ、さらに売れ行きのよい商品を把握し、追加発注している。
これら売上票は、出版社で挟み込まれているため、取次店や書店で挟み込む作業は必要ない。
【０００３】
しかし、特に、洋書（輸入書籍）では、当然ながら売上票が挟まれておらず、結局は、国内で流通させる前に、取次店や代理店で売上票を挟み込まなくてはならず、手間が掛かっている。
また、通常の洋書の場合、値段も現地用のままのため、日本国内の価格は記載されてない。このため、別に値札シールを貼ったりする作業が必要であった。
【０００４】
これまでは、売上票と値札シールは、前者が紙、後者がラベル、という違いもあって、別々に印刷や印字（ロットで変化する）を行い、その後に、目視でマッチングさせていたため、前述の作業に加え、マッチング業務も要していた。
昨今では、価格もレジで手入力する形式から、ＰＯＳ（ｐｏｉｎｔ  ｏｆ  ｓａｌｅ）を利用したバーコード仕様に変化しているため、値札も昔の数字のみのものではなく、バーコードが必要になってきている。
【特許文献１】特開２００４−１１８５７５号公報
【発明の開示】
【発明が解決しようとする課題】
【０００５】
本発明の課題は、売上票を挟み込んだり、値札シールを貼る場合に、手間がかからず、両者のマッチングミスも回避できる書籍用売上票を提供することである。
【課題を解決するための手段】
【０００６】
前記課題を解決するために、請求項１の発明は、ベースシートと、前記ベースシート上に配置され、売上票部を有するシート状基材と、前記ベースシート上であって、前記シート状基材以外の部分に配置され、少なくとも識別情報部を有し、その識別情報部を対象物に貼付可能な積層ラベル部と、前記ベースシートと前記シート状基材及び前記積層ラベル部とを接着する接着層と、前記売上票部に形成された折り線と、前記売上票部を前記折り線で折り曲げたときに、その売上票部の一部を飛び出させる飛び出し手段と、を備える書籍用売上票である。
請求項２の発明は、請求項１に記載の書籍用売上票において、前記飛び出し手段は、前記折り線付近に、所定形状に切り込まれた飛び出し部と、前記飛び出し部の下層部分に設けられた接着性調整手段とであること、を特徴とする書籍用売上票である。
請求項３の発明は、請求項１に記載の書籍用売上票において、前記飛び出し手段は、前記折り線付近に、所定形状に切り込まれた飛び出し部と、前記売上票部の下層部分に設けられた接着性調整手段とであること、を特徴とする書籍用売上票である。
請求項４の発明は、請求項２又は請求項３に記載の書籍用売上票において、前記接着性調整手段は、前記売上票部と前記接着層との間に剥離層を設けたもの、前記接着層の塗布量を減少させたもの、前記接着層に弱粘接着層を用いたもののうちいずれかであること、を特徴とする書籍用売上票である。
請求項５の発明は、請求項１から請求項４までのいずれか１項に記載の書籍用売上票において、前記ベースシートに前記シート状基材及び前記積層ラベル部を配置した状態で、略全面にわたって略均一な厚みであること、を特徴とする書籍用売上票である。
【発明の効果】
【０００７】
本発明によれば、売上票部及び識別情報部が一体化されているので、挟み込み作業や、貼付作業を行いやすい。
また、ベースシート上に売上票部及び識別情報部が配置されているので、必要事項を各部に一括印字することができ、マッチングミスが生じない。
【発明を実施するための最良の形態】
【０００８】
本発明は、売上票を挟み込んだり、値札シールを貼る場合に、手間がかからず、両者のマッチングミスも回避できる書籍用売上票を提供するという目的を、売上票部とバーコードラベルとを一体化することにより実現する。
【実施例１】
【０００９】
以下、図面等を参照して、本発明の実施例について、さらに詳しく説明する。
図１は、本発明による書籍用売上票の実施例１を示す図であって、図１（Ａ）は、正面図、図１（Ｂ）は、断面図、図１（Ｃ）は、構成図、図１（Ｄ）は、利用方法を示す図である。
実施例１の書籍用売上票１０は、書籍用バーコードラベル付き売上票であって、台紙（ベースシート）１１と、シート状基材１２と、バーコードラベル（積層ラベル部）１３と、接着層１４と、折り線１５と、飛び出し部１６と、剥離層（接着性調整手段）１７などとを備える。
【００１０】
台紙１１は、連量が５５ｋｇ／四六の上質紙であり、そのサイズは、Ｂ４サイズ（２５７ｍｍ×３６４ｍｍ）である。
シート状基材１２は、台紙１１上に配置され、１つの作業指示欄１２ａと、８つの売上票部１２ｂとを有する連量が７０ｋｇ／四六の上質紙である。
【００１１】
バーコードラベル１３は、台紙１１上のシート状基材１２以外の部分に配置され、剥離紙１３ａ，粘着剤１３ｂ及びタック基材１３ｃが下からこの順に積層されたタック紙である。
タック基材１３ｃには、バーコード印字欄（識別情報部）１３ｄが設けられ、粘着剤１３ｂは、そのバーコード印字欄１３ｄを書籍に貼付するためのものである。
【００１２】
接着層１４は、台紙１１と、シート状基材１２及び剥離紙１３ａとを接着する接着剤である。
折り線１５は、各売上票部１２ｂに設けられ、売上票部１２ｂを２つ折りするための線である。
【００１３】
飛び出し部１６は、折り線１５に連結するように設けられ、その周縁の一部が、ハーフカットｈｃによって半円形状に切り込まれている。
剥離層１７は、飛び出し部１６の下層部分であって、売上票部１２ｂと接着層１４との間に設けられた剥離インキからなる層である。
これにより、飛び出し部１６及び剥離層１７は、売上票部１２ｂを折り線１５で２つ折りしたときに、その売上票部１２ｂの一部を半円形状に飛び出させる（飛び出し手段）。
【００１４】
また、書籍用売上票１０は、台紙１１にシート状基材１２及びバーコードラベル１３を配置した状態で、略全面にわたって略均一な厚みである。
各売上票部１２ｂ及び各バーコードラベル１３は、それぞれ分割できるように、ミシン目ｍｃで区画されている。
【００１５】
次に、実施例１による書籍用売上票１０の利用方法について、図１（Ｄ）を参照しながら説明する。
まず、ＯＡプリンタで、売上票部１２ｂ及びバーコードラベル１３に必要事項（書籍名、書店名、価格、バーコードなど）を印字する（＃１０１）。
ついで、売上票部１２ｂをミシン目ｍｃで分割する（＃１０２）。なお、バーコードラベル１３の扱い方によっては、分割方法が多少変わることもある。
そして、書籍にバーコードラベル１３を貼り込み、売上票部１２ｂを折り線１５で２つ折りして書籍に挟み込む（＃１０３）。
【００１６】
このように、実施例１によれば、以下のような効果がある。
（１）２枚のシート（台紙１１及びシート状基材１２）を貼り合わせているのでシッカリ感（安定感）があり、また、２枚のシートを貼り合わせたまま利用するので、ゴミが発生しない。
（２）売上票部１２ｂの飛び出し部１６は、貫通した切り込みではなく、ハーフカットｈｃによって形成され、かつ、２つ折りするまでは擬似的に接着されているので、印字時にプリンタ内部で引っ掛かったり、不用意に折れ曲がることがない。
【００１７】
（３）飛び出し部１６のみがポップアップする（飛び出す）構造なので、売上票部１２ｂに孔が開かず、不用意な破れが生じにくい。
（４）売上票部１２ｂ及びバーコードラベル１３が一体化されているので、挟み込み作業や、貼付作業を行いやすい。
【００１８】
（５）台紙１１の同一平面上に売上票部１２ｂ及びバーコード印字欄１３ｄが配置されているので、必要事項を一括印字することができ、マッチングミスが生じない。
（６）略全面にわたって略均一な厚みとすることによって、印字適性に優れた書籍用売上票１０となり、大量印字時のプリンタ適性も向上させることができる。
【実施例２】
【００１９】
図２は、本発明による書籍用売上票の実施例２を示す図である。
なお、前述した実施例１と同様な機能を果たす部分には、同一の符号又は末尾に統一した符号を付して、重複する説明や図面を適宜省略する。
実施例２の書籍用売上票１０Ａは、実施例１の書籍用売上票１０と比較して、２枚のシートの貼り合わせ方法が異なる。
実施例１では、飛び出し部１６の下層部分のみに剥離層１７を設けていたが、実施例２では、売上票部１２ｂの下層部分全体に剥離層１７を設けている。
これにより、売上票部１２ｂは、その剥離層１７によって単独で剥がすことができ、売上票部１２ｂを折り線１５で２つ折りしときに、飛び出し部１６が半円形状に飛び出すようになっている（飛び出し手段）。
また、各売上票部１２ｂ及び各バーコードラベル１３は、ミシン目ｍｃではなく、ハーフカットｈｃで区画されている。
【００２０】
そして、この書籍用売上票１０Ａを利用する場合には、まず、ＯＡプリンタで必要事項を印字し（＃２０１）、ついで、売上票部１２ｂとバーコードラベル１３とをスリット（矢印Ａ部分）からそれぞれ剥がし（＃２０２）、最後に、バーコードラベル１３を書籍に貼り込み、売上票部１２ｂを２つ折りして書籍に挟み込む（＃２０３）。
【００２１】
このように、実施例２によれば、実施例１のものと比較して、ミシン目ｍｃの分割作業がなくなるため、作業性に優れた書籍用売上票１０Ａとすることができる。
また、売上票部１２ｂ及びバーコードラベル１３は、いずれもシート状基材１２とバーコードラベル１３の間のスリットから簡単に剥がすことができる。
【００２２】
さらに、売上票部１２ｂは、台紙１１から剥がして使用するため、実施例１のものよりも薄いものとなり、かさばらず、保管もしやすい。
さらにまた、売上票部１２ｂのみが剥がれる構造なので、２つ折りしたときに、飛び出し部１６の裏面に貫通した孔が開き、従来と同様の形態で運用したい場合に好適である。
【００２３】
（変形例）
以上説明した実施例に限定されることなく、種々の変形や変更が可能であって、それらも本発明の均等の範囲内である。
（１）実施例１では、２枚のシートを貼り合わせているので、飛び出し部１６は、従来のような半円形状に限定する必要はなく、半円形状以外の任意形状にすることができ、例えば、売上票部１２ｂの全幅でポップアップするようにしてもよい。
（２）実施例１のハーフカットｈｃは、全体を貫通するようなカット線でもよい。この場合、正確な半円である必要はないが、印字段階で浮き上がって引っ掛かる可能性を排除するため、半円に近い形状が好ましい。
（３）接着性調整手段は、剥離層１７の例で説明したが、接着層１４の接着剤の塗布量を減少させた（糊を抜いた）ものや、接着層１４に弱粘接着剤を用いたものであってもよい。このようにすれば、剥離インキ分のコストを削減することができる。
【図面の簡単な説明】
【００２４】
【図１】本発明による書籍用売上票の実施例１を示す図である。
【図２】本発明による書籍用売上票の実施例２を示す図である。
【符号の説明】
【００２５】
１０、１０Ａ  書籍用売上票
１１  台紙（ベースシート）
１２  シート状基材
１２ａ  作業指示欄
１２ｂ  売上票部
１３  バーコードラベル（積層ラベル部）
１３ａ  剥離紙
１３ｂ  粘着剤
１３ｃ  タック基材
１４  接着層
１５  折り線
１６  飛び出し部
１７  剥離層（接着性調整手段）
ｈｃ  ハーフカット
ｍｃ  ミシン目
【図１】
2006317869.tif 000003
【図２】
2006317869.tif 000004